(57)【要約】      （修正有）【課題】本発明は、メンテナンス作業、ロープ巻回作業が容易で、安全性に富んだエンドレス方式のウインチ及び該エンドレス方式のウインチを用いたロープの移動方法を提供する。【解決手段】回転自在に軸支された駆動軸に取り付けられ、外周縁に沿ってロープを巻回する溝５の形成された巻回ドラム６の設けられたウインチ本体３と、該ウインチ本体３に冠着される蓋体２とから構成されたエンドレス方式のウインチにおいて、前記蓋体には、巻回ドラム６の外周に位置し、ロープの溝５側への取り入れ、及び取り出し部分を除いて溝に沿って張設された移動ローラ体９が取り付けられている。【選択図】図３
2015199600.tif 000002
【特許請求の範囲】
【請求項１】
回転自在に軸支された駆動軸に取り付けられ、外周縁に沿ってロープを巻回する溝の形成された巻回ドラムの設けられたウインチ本体と、該ウインチ本体に冠着される蓋体から構成されたエンドレス方式のウインチにおいて、前記蓋体には、巻回ドラムの外周に位置し、ロープの溝側への取り入れ、及び取り出し部分を除いて溝に沿って張設された移動ローラ体が取り付けられていることを特徴とするエンドレス方式のウインチ。
【請求項２】
蓋体を冠着するウインチ本体に回転自在に軸支された駆動軸を回転し、該駆動軸に取り付けられた巻回ドラムを回転することで、巻回ドラムの外周縁に形成された溝に沿ってロープを移動するエンドレス方式のウインチを用いたロープの移動方法において、前記ロープを移動する工程で、前記蓋体に取り付けられ巻回ドラムの溝に沿って張設された移動ローラで溝側にロープを押圧するとともに、ロープの溝側への取り入れ及び取り出し方向に沿って前記蓋体に回転自在に取り付けられたガイドシーブでロープをウインチ本体に取り入れ、及び取り出し移動することを特徴とするエンドレス方式のウインチを用いたロープに移動方法。
【発明の詳細な説明】
【発明の詳細な説明】
【技術分野】
【０００１】本発明は、ウインチ及びウインチを用いたロープの移動方法に関し、特にロープの端部がウインチに固定されることなく、ロープの中間部に設置するエンドレス方式のウインチ及び該エンドレス方式のウインチを用いたロープの移動方法に関する。【０００２】従来、エンドレス方式のウインチは、矩形状のウインチ本体と、該ウインチ本体に冠着される矩形状の蓋体と、前記ウインチ本体に回転自在に軸支した駆動軸と、該駆動軸に取り付けられ駆動軸の回転に伴って回転する巻回ドラムと、該巻回ドラムの外周縁に沿って形成されロープを巻回する溝と、該溝へのロープの取り入れ及び取り出し部分を除いて溝に沿ってロープを押圧すべく設けられている移動ローラ体と、前記ロープを溝側に取り入れ移動、及び溝よりロープを取り出し移動すべくウインチ本体に回転自在に軸支した一対のガイドシーブとから構成されている。【０００３】上記エンドレス方式のウインチは、一般的に球技用・ゴルフ練習場の防球ネットの開閉移動、昇降移動、大型テントの開閉移動、又は作業用ゴンドラの昇降作業用等に用いられる。【０００４】そして、前記巻回ドラムの溝に巻回されたロープは、ウインチ本体に取り入る側とウインチ本体より取り出す側とでロープにかかる荷重（防球ネット等の荷重）が相違し、一方が強く牽引され、他方は弛緩することとなる。【０００５】このため、エンドレス方式のウインチの移動ローラ体は通常、ガイドシーブ及び両端側を弾性体に連結した移動ローラ体（特開２０００−３５１５８０号、特許文献１）、移動ローラ体の端部側を別体の押圧部材で押圧（特開２０１３−２１２９２６号、特許文献２）され、ロープの弛緩部分を解消しながらスムーズにロープを移動する。
【発明が解決しようとする課題】
【０００６】しかしながら、上記エンドレス方式のウインチは、通常ロープの端部を一方側のガイドシーブより巻回ドラムの溝へ取り入れ、巻回ドラムを回転しながら溝に沿ってロープを巻回し、他方側のガイドシーブを介してロープを取り出すことで、ウインチにロープを取り付けるために、メンテナンス作業時等において、ロープを防球ネットより取り外した後、ロープを巻回ドラムの溝より引き出し、作業後に再度ロープを巻回ドラムの溝に巻回した後ネットに連結しなければならず、その作業が煩雑であるという欠点があった。
【０００７】また、移動ローラ体はロープの強い牽引側、弛緩側で摩耗量が相違し、ロープの交換が頻繁に行われるが、エンドレス方式のウインチからのロープの取り外し作業が煩雑であり、ロープの交換作業に時間を要するという欠点があった。
【０００８】また、移動ローラ体はウインチ本体に取り付けられているために、摩耗した移動ローラ体の交換作業はウインチ本体を取り外して交換するか、又は設置された状態でウインチ本体より移動ローラ体を取り外さなければならず、作業が煩雑、又は狭いスペースで作業しなければならないという欠点があった。
【０００９】さらに、ガイドシーブはウインチ本体に取り付けられているために、ロープの移動方向に沿ってウインチの取り付け向きを変更して取り付けなければならず、設置位置が限定される問題点があった。
【００１０】そこで、本発明は上記課題を解決するものであって、巻回ドラムの溝へのロープの取り出し及び取り入れがスムーズで、ロープを吊り張りした状態でメンテナンス作業等が容易に行え、しかも安全性に優れたエンドレス方式のウインチを提供することを課題とするものである。
【課題を解決するための手段】
【００１１】上記課題を解決する本発明の解決手段としてのエンドレス方式のウインチは、請求項１に記載のように、回転自在に軸支された駆動軸に取り付けられ、外周縁に沿ってロープを巻回する溝の形成された巻回ドラムの設けられたウインチ本体と、該ウインチ本体に冠着される蓋体とから構成されたエンドレス方式のウインチにおいて、前記蓋体には巻回ドラムの外周に位置し、ロープの溝側への取り入れ、及び取り出し部分を除いて溝に沿って張設された移動ローラ体が取り付けられていることを特徴とする。
【００１２】また、上記課題を解決する他の解決手段としてのエンドレス方式のウインチは、請求項２に記載のように、蓋体を冠着するウインチ本体に回転自在に軸支された駆動軸を回動し、該駆動軸に取り付けられた巻回ドラムを回転することで巻回ドラムの外周縁に形成された溝に沿ってロープを移動するエンドレス方式のウインチを用いたロープの移動方法において、前記ロープを移動する工程で、前記蓋体に取り付けられ、巻回ドラムの溝に沿って張設された移動ローラ体で溝側にロープを押圧するとともに、ロープを溝側への取り入れ及び取り出し方向に沿って前記蓋体に回転自在に取り付けられたガイドシーブでロープをウインチ本体に取り入れ及び取り出し移動することを特徴とする。
【発明の作用効果】
【００１３】本発明のエンドレス方式のウインチ及びエンドレス方式のウインチを用いたロープの移動方法の作用効果について説明する。
【００１４】請求項１に記載のエンドレス方式のウインチは、先ず所定のスペースにエンドレス方式のウインチを設置し、その後該ウインチの蓋体を取り外してウインチ本体に回動自在に取り付けられた巻回ドラムの外周縁に形成された溝に沿って吊り張りされたロープを巻回する。
【００１５】その後、前記蓋体を再度ウインチ本体に冠着することで、該蓋体に張設された移動ローラ体が巻回ドラムの溝の外周に位置することとなり、溝に巻回されたロープを溝側に押圧することができる。
【００１６】この状態で、駆動軸を回転駆動し巻回ドラムを回転することで、ロープに無駄なく回転を伝達しスムーズに移動することができる。
【００１７】また、メンテナンス作業等でロープをエンドレス方式のウインチより取り外す場合は、先ず蓋体をウインチ本体より取り外すことで、同時に移動ローラ体も巻回ドラムの溝より離脱することができる。
【００１８】この状態で、ロープを溝より離脱してメンテナンス作業等を行う。
【００１９】そして、メンテナンス等の作業終了後、再度ロープを巻回ドラムの溝に巻回し蓋体をウインチ本体に取り付けることで、移動ローラ体でロープを溝側に押圧することができる。
【００２０】このように、本発明のエンドレス方式のウインチは、蓋体に移動ローラ体が取り付けられているために、該蓋体をウインチ本体より取り外すことで、巻回ドラムの溝より移動ローラ体を取り外すことで溝の外側が開放され、ロープを容易に取り付け及び取り外しでき、メンテナンス作業等を容易に行うことができる。
【００２１】また、移動ローラ体によるロープの溝側への押圧も適切に行うことができる。
【００２２】次に、請求項２に記載のエンドレス方式のウインチを用いたロープの移動方法は、ウインチ本体に軸支した駆動軸を回転駆動し該駆動軸に設けられた巻回ドラムを回転して、該巻回ドラムの外周縁に形成された溝に巻回されたロープを移動する工程で、前記巻回ドラムの溝にロープを巻回した後、ウインチ本体に蓋体を冠着することで該蓋体に張設された移動ローラ体を溝に沿って設置し、前記ロープを溝側に押圧しながら移動する。
【００２３】この際、巻回ドラムの溝にロープを取り入れ及び取り出し移動する方向に応じてガイドシーブを蓋体に回転自在に取り付けることで、ロープの吊り張り方向に関わらずウインチを自在に設置することができる。
【００２４】このように、エンドレス方式のウインチを用いたロープの移動方法は、ロープを吊り張りした状況で容易に巻回ドラムの溝に巻回及び取り外しすることができ、且つロープの吊り張り方向に応じてガイドシーブを取り付けることで、ウインチ本体を設置した状態で容易にロープを移動することができる。
【００２５】また、ウインチの摩耗部材の交換作業等をスムーズに行うことができる。
【００２６】また、ロープの移動方向に関わらず狭いスペースでもウインチを設置することができ、作業効率を格段に向上することができる。
【発明を実施するための最良の形態】
【００２７】次に、本発明のエンドレス方式のウインチ、及びエンドレス方式のウインチを用いたロープの移動方法について図面を参照して説明する。【００２８】図１は本発明のエンドレス方式のウインチの蓋体の第１実施例示す概略説明平面図であり、図２は図１の蓋体を冠着するウインチ本体を示す概略説明平面図であり、図３は蓋体を冠着したウインチ本体を示す概略説明平面図であり、図４、図５、図６は蓋体の他実施例を示す概略説明平面図であり、図７は、エンドレス方式のウインチを用いたロープの移動方法のフローチャートである。【００２９】本発明のエンドレス方式のウインチ１は、略矩形状の蓋体２と、該蓋体２を冠着する同形状のウインチ本体３と、該ウインチ本体３に回転自在に軸支され、駆動源（電動機、又は手動用ハンドル）に直接又は増減速機等を介して連結された駆動軸４と、該駆動軸４に取り付けられ駆動軸４の回転に伴って回転駆動し、外周縁に略Ｕ字状の溝５の形成された円形状の巻回ドラム６とから構成されている。【００３０】前記蓋体２には、巻回ドラム６の近傍でロープ２０（本発明において、ウインチワイヤー、牽引ロープその他ロープの総称として記載）をウインチ本体３の溝５へ取り入れ移動及び溝５よりの取り出し移動を案内すべく回転自在に軸支した一対のガイドシーブ７（７Ａ，７Ｂ）と、該ガイドシーブ７によりロープ２０を取り入れ及び取り出しする部分を除いて溝５に沿って取り付けられ、両端側を弾性体８に連結した移動ローラ体９とが設けられている。【００３１】前記移動ローラ体９は、複数個のローラ９Ａを連結して形成され、蓋体２に形成された複数の孔（図示せず）を介して取り付け位置の変更も可能である。【００３２】また、同様にガイドシーブ７も蓋体２に形成された複数の孔（図示せず）を介して取り付け位置の変更も可能である。【００３３】尚、上記実施例では蓋体２にガイドシーブ７を回転自在に取り付けることでロープ２０の吊り張り方向に自在に対応したが、本発明においてガイドシーブ７の取り付けはこれに限定されるものでなく、例えば、ウインチ本体３に回転自在に取り付けることでロープ２０の吊り張り方向に対応することも可能である。【００３４】また、上記実施例では、移動ローラ体９は複数個のローラ９Ａを連結して形成したが、本発明において、移動ローラ体９の構成はこれに限定されるものでなく、例えば、移動ローラ体９を個々別々に蓋体２に張設された複数個のローラ９Ｂで構成することで、ロープ２０を溝５側に押圧することも可能であり、また、２個又は３個の連結されたローラ９Ｃと固定押圧体９Ｄで構成することでロープ２０を溝５側に押圧することも可能である。【００３５】本発明のエンドレス方式のウインチ１は上記のように構成され、該エンドレス方式のウインチ１にロープを取り付ける場合について説明する。【００３６】先ず、所定のスペースに設置されたエンドレス方式のウインチ１の蓋体２をウインチ本体２より取り外し、該ウインチ本体３に駆動軸４に取り付けられた巻回ドラム６の溝５に吊り張りしたロープ２０を巻回した後、蓋体２をウインチ本体３に冠着することで、溝５に沿って移動ローラ体９を設置するとともに、ガイドシーブ７をロープ２０のウインチ本体３への取り入れ、及び取り出し方向に応じて取り付けることができる。【００３７】これにより、移動ローラ体９でロープ２０を溝５側へ押圧するとともに、ロープ２０の吊り張り方向に応じてエンドレス方式のウインチ１を自在に設置することができる。【００３８】次に、エンドレス方式のウインチ１及びロープ２０のメンテナンス作業を行う場合は、先ず蓋体２をウインチ本体３より取り外すことで、ガイドシーブ７と移動ローラ体９を同時に取り外し、開放された巻回ドラム６の溝５よりロープ２０を取り外し、エンドレス方式のウインチ１及びロープ２０のメンテナンス作業を行う。【００３９】作業終了後、ロープ２０を巻回ドラム６の溝５に巻回し、蓋体２をウインチ本体３に冠着することで、移動ローラ体９でロープ２０を溝５側に押圧しながら移動するとともに、ガイドシーブ７でロープ２０を溝５側に取り入れ、及び取り出し移動することができる。【００４０】このように、本発明のエンドレス方式のウインチ１は容易にロープ２０の取り外し及び取り付けができ、メンテナンス作業等を効率よく行うことができる。【００４２】また、摩耗の激しい移動ローラ体９は蓋体２をウインチ本体３より取り外すだけで容易に交換することができる。
【図面の簡単な説明】
【００４１】
【図１】本発明のエンドレス方式のウインチの蓋体を示す概略説明平面図
【図２】図１の蓋体を冠着するウインチ本体を示す概略説明平面図
【図３】本発明の蓋体を冠着したウインチ本体を示す概略説明平面図
【図４】蓋体の他実施例を示す概略説明平面図
【図５】蓋体に張設された移動ローラ体の他実施例を示す概略説明平面図
【図６】蓋体に張設された移動ローラ体の他実施権を示す概略説明平面図
【図７】本発明のエンドレス方式のウインチを用いたロープの移動方法を示すフローチャート
【符号の説明】
【００４２】１−エンドレス方式のウインチ、２−蓋体、３−ウインチ本体、４−駆動軸、６−巻回ドラム、９−移動ローラ体
【図１】
2015199600.tif 000003
【図２】
2015199600.tif 000004
【図３】
2015199600.tif 000005
【図４】
2015199600.tif 000006
【図５】
2015199600.tif 000007
【図６】
2015199600.tif 000008
【図７】
2015199600.tif 000009